(57)【要約】      （修正有）【課題】汚れたり傷付いたりしやすく、早期に価値が薄れてしまうという問題のないコインを用いた装身具を提供する。【解決手段】装身具としてのペンダントトップ１１であって、コイン２１の径とほぼ等しいサイズの基板１２に、透明な接着材料を介してコイン２１を搭載し、さらにコイン上２１に透明な接着材料を介して透明カバー１４を搭載し、その上で透明な接着材料１５を硬化させた。【選択図】図１
0003225467.tif 000002
【実用新案登録請求の範囲】
【請求項１】
コインの径とほぼ等しいサイズの基板に、透明な接着材料を介してコインを搭載し、さらに前記コイン上に透明な接着材料を介して透明カバーを搭載し、その上で透明な接着材料を硬化させたことを特徴とするコインを用いた装身具。
【請求項２】
前記基板とコインの間、また前記コインと透明カバー間において硬化させた透明な接着材料が、充填位置に気泡が存在しないで硬化させてなることを特徴とする請求項１に記載のコインを用いた装身具。
【請求項３】
前記基板ないし透明カバーが、傷の付きにくい透明ガラス素材からなることを特徴とする請求項１または２に記載のコインを用いた装身具。
【請求項４】
前記傷の付きにくい透明ガラス素材が、サファイヤガラス、強化ガラスから選ばれてなることを特徴とする請求項３に記載のコインを用いた装身具。
【請求項５】
コインの径を超えるサイズの基板に、前記コインを収納する凹所を設けたリング状コイン保持枠を搭載してコインを前記凹所に収納し、前記リング状コイン保持枠の空所に透明な接着材料を充填し、その上から透明カバーを搭載して透明な接着材料を硬化させたことを特徴とするコインを用いた装身具。
【請求項６】
前記リング状コイン保持枠の空所内において硬化させた透明な接着材料が、充填位置に気泡が存在しないで硬化させてなることを特徴とする請求項５に記載のコインを用いた装身具。
【請求項７】
前記基板ないし透明カバーが、傷の付きにくい透明ガラス素材からなることを特徴とする請求項５または６に記載のコインを用いた装身具。
【請求項８】
前記傷の付きにくい透明ガラス素材が、サファイヤガラス、強化ガラスから選ばれてなることを特徴とする請求項７に記載のコインを用いた装身具。
【請求項９】
前記前記リング状コイン保持枠が、金属素材あるいはガラス素材から選ばれてなることを特徴とする請求項５ないし８のいずれかに記載のコインを用いた装身具。
【考案の詳細な説明】
【技術分野】
【０００１】
本考案は、コインペンダント、より詳細にはペンダントヘッドとして主に外国の金貨を用いたペンダント等を主眼とするコインを用いた装身具に関するものである。
【背景技術】
【０００２】
コインペンダントは比較的高価なものであるが、コインとチェ−ンとの一体感、コインがペンダントヘッドとして適当な大きさであり、見栄えがよくて装飾的効果にすぐれているために広く利用されている。
しかしながら、従来のコインペンダントの場合は、貴金属製のコインが剥き出しになっているためにどうしても手垢や汚れが付着しやすく、また、傷付きやすく、早期に価値が低下してしまいがちである。
【先行技術文献】
【特許文献】
【０００３】
【特許文献１】特になし
【考案の概要】
【考案が解決しようとする課題】
【０００４】
上述したように従来のコインペンダントの場合は、汚れたり傷付いたりしやすく、早期に価値が薄れてしまう虞れがあるという問題があったので、本考案はそのような問題のないコインペンダントを提供することを課題とする。
【課題を解決するための手段】
【０００５】
第１考案のコインを用いた装身具は、コインの径とほぼ等しいサイズの基板に、透明な接着材料を介してコインを搭載し、さらに前記コイン上に透明な接着材料を介して透明カバーを搭載し、その上で透明な接着材料を硬化させたことを特徴とするものである。
【０００６】
本考案のコインを用いた装身具において、前記基板とコインの間、また前記コインと透明カバー間において硬化させた透明な接着材料が、充填位置に気泡が存在しないで硬化させてなることをも特徴とするものである。
【０００７】
本考案のコインを用いた装身具において、前記基板ないし透明カバーが、傷の付きにくい透明ガラス素材からなることをも特徴とするものである。
【０００８】
本考案のコインを用いた装身具において、前記傷の付きにくい透明ガラス素材が、サファイヤガラス、強化ガラスから選ばれてなることをも特徴とするものである。
【０００９】
また、第２考案のコインを用いた装身具は、コインの径を超えるサイズの基板に、前記コインを収納する凹所を設けたリング状コイン保持枠を搭載してコインを前記凹所に収納し、前記リング状コイン保持枠の空所に透明な接着材料を充填し、その上から透明カバーを搭載して透明な接着材料を硬化させたことを特徴とするものである。
【００１０】
本考案のコインを用いた装身具において、前記リング状コイン保持枠の空所内において硬化させた透明な接着材料が、充填位置に気泡が存在しないで硬化させてなることをも特徴とするものである。
【００１１】
本考案のコインを用いた装身具において、前記基板ないし透明カバーが、傷の付きにくい透明ガラス素材からなることをも特徴とするものである。
【００１２】
本考案のコインを用いた装身具において、前記傷の付きにくい透明ガラス素材が、サファイヤガラス、強化ガラスから選ばれてなることをも特徴とするものである。
【００１３】
本考案のコインを用いた装身具において、前記前記リング状コイン保持枠が、金属素材あるいはガラス素材から選ばれてなることをも特徴とするものである。
【考案の効果】
【００１４】
本考案のコインを用いた装身具は、第１考案においては前記基板とコインの間、また前記コインと透明カバー間、また第２考案においては前記リング状コイン保持枠の空所内に透明な接着材料を充填して硬化させ、各素材間においてコインを密閉状態に保持させることにより、コインが外気に晒されることがないので汚れたり傷付いたりすることがないため、コインは何時までも光沢を維持し続け、その価値が失われることはない。
【図面の簡単な説明】
【００１５】
【図１】第１考案のコインを用いた装身具の実施例を示すものであり、上部に膨らんだ形状を備えた透明カバーを採用し、これをペンダントトップに適用した場合の概略斜視図である。
【図２】本考案のコインを用いた装身具の組立手順を示し、全体を組み立てる前の概略斜視図である。
【図３】その概略断面図である。
【図４】基板に透明な接着材料を介してコインを搭載し、さらにコイン上に透明な接着材料を注入しようとしている状態の概略斜視図である。
【図５】その概略断面図である。
【図６】組立が完了した状態の概略斜視図である。
【図７】その概略断面図である。
【図８】第２考案のコインを用いた装身具の実施例を示すものであり、平板状の透明カバーを採用し、これをペンダントトップに適用した場合の概略斜視図である。
【図９】本考案のコインを用いた装身具の組立手順を示し、全体を組み立てる前の概略斜視図である。
【図１０】その概略断面図である。
【図１１】基板に透明な接着材料を介してコインを搭載し、さらにコイン上に透明な接着材料を注入しようとしている状態の概略斜視図である。
【図１２】その概略断面図である。
【図１３】組立が完了した状態の概略斜視図である。
【図１４】その概略断面図である。
【考案を実施するための形態】
【００１６】
本考案の好ましい実施例を添付図面に依拠して説明する。
図面はコインを用いた装身具の実施例を示すものであり、ペンダントトップに適用した場合を説明するためのものである。
【００１７】
第１考案のコインを用いた装身具を適用した図１に示すペンダントトップ１１においては、図２および図３に示すように、コイン２１とほぼ同じ径の基板１２と、該基板１２上に搭載した前記コイン２１上に搭載可能な透明カバー１４と、前記基板１２とコイン２１の間、また前記コイン２１と透明カバー１４間に充填した透明な接着材料１５とを備えたものである。
【００１８】
前記ペンダントトップ１１の組立に際しては、まず図２および図３に示すように、前記コイン２１とほぼ同じ径の基板１２上に、透明な接着材料１５をノズルを介して投入しておく。
そして、図４および図５に示すように、前記コイン２１上に透明な接着材料１５をノズルを介して投入する。
その上で、前記コイン２１上の透明な接着材料１５が硬化しないうちに前記透明カバー１４を前記コイン２１に圧着する。
図６および図７は、所定時間経過して、前記基板１２とコイン２１の間、また前記コイン２１と透明カバー１４間に充填した透明な接着材料１５が硬化した状態を示すものである。
【００１９】
以上のような組立手順で得られたペンダントトップ１１においては、前記基板１２とコイン２１の間、また前記コイン２１と透明カバー１４間に充填した透明な接着材料１５の内部には、気泡が存在しないで硬化していることが判明した。
【００２０】
本考案のコインを用いた装身具を適用したペンダントトップ１１においては、前記基板１２および透明カバー１４として、傷の付きにくい透明ガラス素材を使用することが望ましい。もちろん、コイン２１の裏面を目に見えるようにする必要がなければ、基板１２を透明にする必要はない。
ちなみに、前記傷の付きにくい透明ガラス素材が、サファイヤガラス、強化ガラスから選ぶことができる。
また前記透明カバー１４は、図においては上部に膨らんだ形状を備えており、かつ頂点から周辺に向かう１２面の三角形のカットが施されている。もちろんカボション・カットやその他のカットが施されていたり、あるいは平板状であってもよい。
【００２１】
また、本考案において使用される透明な接着材料１５としては、紫外線（ＵＶ）硬化樹脂やイソシアネート系接着剤、エポキシ系接着剤等の透明で表面に傷のつきにくい接着剤を好適に使用することができる。
このような透明な接着材料１５を充填して硬化させ、基板１２と透明カバー１４との間においてコイン２１を密閉状態に保持させることにより、コイン２１が外気に晒されることがないので曇ったり、また汚れたり傷付いたりすることがないため、コイン２１は何時までも光沢を維持し続け、その価値が失われることはない。
【００２２】
第２考案のコインを用いた装身具を適用した図８に示すペンダントトップ３１においては、図２および図３に示すように、コイン４１とほぼ同じ径の基板３２と、該基板３２上に搭載した前記コイン４１上に搭載可能な平板状の透明カバー３４と、前記基板３２とコイン４１の間、また前記コイン４１と透明カバー３４間に充填した透明な接着材料３５とを備えたものである。
【００２３】
前記ペンダントトップ３１の組立に際しては、まず図９および図１０に示すように、前記コイン４１とほぼ同じ径の基板３２上に、透明な接着材料３５をノズルを介して投入しておく。
そして、図１１および図１２に示すように、前記コイン４１上に透明な接着材料３５をノズルを介して投入する。
その上で、前記コイン４１上の透明な接着材料３５が硬化しないうちに前記透明カバー３４を前記コイン４１に圧着する。
図１３および図１４は、所定時間経過して、前記基板３２とコイン４１の間、また前記コイン４１と透明カバー３４間に充填した透明な接着材料３５が硬化した状態を示すものである。
【００２４】
以上のような組立手順で得られたペンダントトップ３１においては、前記基板３２とコイン４１の間、また前記コイン４１と透明カバー３４間に充填した透明な接着材料３５の内部には、気泡が存在しないで硬化していることが判明した。
【００２５】
本考案のコインを用いた装身具を適用したペンダントトップ３１においては、前記基板３２および透明カバー３４として、傷の付きにくい透明ガラス素材を使用することが望ましい。もちろん、コイン４１の裏面を目に見えるようにする必要がなければ、基板３２を透明にする必要はない。
ちなみに、前記傷の付きにくい透明ガラス素材が、サファイヤガラス、強化ガラスから選ぶことができる。
【００２６】
また、本考案において使用される透明な接着材料３５としては、紫外線（ＵＶ）硬化樹脂やイソシアネート系接着剤、エポキシ系接着剤等の透明で表面に傷のつきにくい接着剤を好適に使用することができる。
このような透明な接着材料３５を充填して硬化させ、基板３２と透明カバー３４との間においてコイン４１を密閉状態に保持させることにより、コイン４１が外気に晒されることがないので曇ったり、また汚れたり傷付いたりすることがないため、コイン４１は何時までも光沢を維持し続け、その価値が失われることはない。
【産業上の利用可能性】
【００２７】
上述したところでは、本考案のコインを用いた装身具をペンダントトップに適した例について説明したが、イヤリングやブローチ等の下げ飾りとして、あるいはその他の装身具に好適に利用することができ、従来にない高級感、装飾性に富んだコインペンダント等が得られ、コインが汚れたり、傷付いたりする虞れがなく、防水性をも備えているので装着したまま入浴したりすることもできる効果がある。
【符号の説明】
【００２８】
１１  ペンダントトップ
１２  基板
１４  透明カバー
１５  透明な接着材料
２１  コイン
３１  ペンダントトップ
３２  基板
３４  透明カバー
３５  透明な接着材料
４１  コイン
【図１】
0003225467.tif 000003
【図２】
0003225467.tif 000004
【図３】
0003225467.tif 000005
【図４】
0003225467.tif 000006
【図５】
0003225467.tif 000007
【図６】
0003225467.tif 000008
【図７】
0003225467.tif 000009
【図８】
0003225467.tif 000010
【図９】
0003225467.tif 000011
【図１０】
0003225467.tif 000012
【図１１】
0003225467.tif 000013
【図１２】
0003225467.tif 000014
【図１３】
0003225467.tif 000015
【図１４】
0003225467.tif 000016